(57)【特許請求の範囲】
【請求項１】
計測値に応じた指標の外周に沿って切り抜かれた切抜部が設けられた金属文字板と、
該金属文字板の背面に設けられた光透過板及び該光透過板に入射する光を発生する発光素子を有し、前記金属文字板の背面に出射される光を発生する背面光源とを備え、
前記指標が、当該指標に形成する直線または曲線で囲まれた穴を有するとき、前記光透過板は、前記穴に対向する部分に前記金属文字板と同一色の印刷が施されている
ことを特徴とする表示器。
【請求項２】
請求項１記載の表示器であって、
前記金属文字板の前面に出射される光を発生する前面光源を
さらに備えたことを特徴とする表示器。
【請求項３】
請求項２記載の表示器であって、
前記前面光源は、前記金属文字板上に、直線状の高輝度部が視認できるような角度で、前記金属文字板を照らす
ことを特徴とする表示器。
【請求項４】
請求項２記載の表示器であって、
前記前面光源は、互いにクロスしている複数の前記高輝度部分が視認できるように前記金属文字板を照らす
ことを特徴とする表示器。
【請求項５】
請求項３または４記載の表示器であって、
前記金属文字板の前面には、スピン状の目付けが施されている
ことを特徴とする表示器。
【請求項６】
請求項３または４記載の表示器であって、
前記金属文字板の前面には、放射状の目付けが施されている
ことを特徴とする表示器。
【請求項７】
請求項１〜６何れか１項記載の表示器であって、
前記光透過板には、前記金属文字板の前記切抜部と嵌合する凸部が設けられている
ことを特徴とする表示器。
【請求項８】
請求項７記載の表示器であって、
前記凸部が複数あるとき、前記複数の凸部を少なくとも２つ以上に分割し、各々別体の光透過板上に設ける
ことを特徴とする表示器。
【請求項９】
請求項１〜８何れか１項項記載の表示器であって、
前記指標が、当該指標を形成する直線または曲線で囲まれた穴を有するとき、前記光透過板の前記穴を形成する部分は、前記光透過板の前記指標を形成する部分よりくぼんでいる
ことを特徴とする表示器。
【請求項１０】
請求項１〜９何れか１項記載の表示器であって、
前記光透過板は、前記金属文字板をインサートした状態で形成される
ことを特徴とする表示器。
【発明の詳細な説明】
【０００１】
【発明の属する技術分野】
この発明は、表示器に係わり、特に、車両に搭載される表示器に関する。
【０００２】
【従来の技術】
一般に車両には、車両速度及びエンジン回転数等の計測値を指示する指針式指示装置が搭載されている。この指示装置は、表面に目盛及び数字、文字または記号等の指標が設けられた文字板と、この文字板の前面に配置される指針と、計測量に応じて指針を駆動する内機と、回路パターンが設けられ、内機が固定される配線板とを有して構成している。
【０００３】
上記文字板は、アクリル樹脂板やポリカーボネート樹脂板などの光透過板の表面に、上記指標を除いた部分に、たとえば、暗色系の印刷を施して構成されている。そして、昼間は外光により指針や文字板を照らして、運転者に上記指標を視認させ、夜間においては、文字板の後方には位置された光源によって光を指標から透過させて発光させることで、運転者に指標を視認させている。
【０００４】
【発明が解決しようとする課題】
ところで、指示装置に高級感を持たせるために、上記文字板として金属を用いたいという要望がある。しかしながら、光透過板表面に金属を印刷することは不可能であり、文字板として金属を用いた場合、夜間に指標を発光させることができなかった。
【０００５】
そこで、金属文字板を用いる場合は、金属文字板に指標を印刷して、図８に示すように、運転者側から文字板１や指針２を照射するダイオード３を設けて、夜間でも、昼間のように文字板１自体を視認できるようにすることが考えられる。しかしながら、文字板１や指針２を照射する光源として、ダイオードなどの点光源を用いた場合、文字板１全体に一様に光が照射されず、図９に示すように、輝度の高くなる高輝度部分Ａが部分的に現れてしまう恐れがあった。
【０００６】
そこで、本発明は、上記のような問題点に着目し、金属文字板を用いても、指標を発光させることができる表示器を提供することを課題とする。
【０００７】
【課題を解決するための手段】
上記課題を解決するためになされた請求項１記載の発明は、計測値に応じた指標の外周に沿って切り抜かれた切抜部が設けられた金属文字板と、該金属文字板の背面に設けられた光透過板及び該光透過板に入射する光を発生する発光素子を有し、前記金属文字板の背面に出射される光を発生する背面光源とを備え、前記指標が、当該指標に形成する直線または曲線で囲まれた穴を有するとき、前記光透過板は、前記穴に対向する部分に前記金属文字板と同一色の印刷が施されていることを特徴とする表示器に存する。
【０００８】
請求項１記載の発明によれば、金属文字板には、計測値に応じた指標の外周に沿って切り抜かれた切抜部が設けられている。背面光源が、金属文字板の背面に出射される光を発生する。従って、背面光源を発光させると、その光は、金属文字板に設けられた切抜部を透過して運転者視点に届く。このため、運転者に指標が発光しているように、視認させることができる。また、発光素子から発光された光は、光透過板を介して切抜部から透過される。従って、光透過板により発光素子からの光が拡散されるため、切抜部全体を均一に発光させることができる。さらに、指標が、その指標を形成する直線または曲線で囲まれた穴を有するとき、光透過板が、穴に対向する部分に金属文字板と同一色の印刷が施されている。従って、指標の外周だけでなく、穴部分も一層はっきりと視認することができる。
【０００９】
請求項２記載の発明は、請求項１記載の表示器であって、前記金属文字板の前面に出射される光を発生する前面光源をさらに備えたことを特徴とする表示器に存する。
【００１０】
請求項２記載の発明によれば、前面光源が、前面から金属文字板を照らす。従って、夜間であっても金属文字板表面を、視認することができる。
【００１１】
請求項３記載の発明は、請求項２記載の表示器であって、前記前面光源は、前記金属文字板上に、直線状の高輝度部が視認できるような角度で、前記金属文字板を照らすことを特徴とする表示器に存する。
【００１２】
請求項３記載の発明によれば、前面光源が、金属文字板上に、直線状の高輝度部が視認できるような角度で、金属文字板を照らしている。従って、金属文字板上に直線状の高輝度部分を視認させることにより、金属文字板が、一層、金属らしく見える。
【００１３】
請求項４記載の発明は、請求項２記載の表示器であって、前記前面光源は、互いにクロスしている複数の前記高輝度部分が視認できるように前記金属文字板を照らすことを特徴とする表示器に存する。
【００１４】
請求項４記載の発明によれば、複数の前面光源が、互いにクロスしている複数の高輝度部分が視認できるように、配置されている。従って、金属文字板上に互いにクロスした複数の直線状高輝度部分を視認させることにより、金属文字板が、さらに一層、金属らしく見える。
【００１５】
請求項５記載の発明は、請求項３または４記載の表示器であって、前記金属文字板の前面には、スピン状の目付けが施されていることを特徴とする表示器に存する。
【００１６】
請求項６記載の発明は、請求項３または４記載の表示器であって、前記金属文字板の前面には、放射状の目付けが施されていることを特徴とする表示器に存する。
【００１７】
請求項５及び６記載の発明によれば、金属文字板の前面に、スピン状または放射状の目付けが施されている。従って、金属文字板にスピン状または放射状に目付けすると、昼間なども外光によって直線状の高輝度部分が視認することができる。
【００２０】
請求項７記載の発明は、請求項１〜６何れか１項記載の表示器であって、前記光透過板には、前記金属文字板の前記切抜部と嵌合する凸部が設けられていることを特徴とする表示器に存する。
【００２１】
請求項７記載の発明によれば、光透過板に設けられた凸部が、金属文字板の切抜部と嵌合する。従って、金属文字板に厚みがあっても、切抜部が凹んで見えることがない。
【００２２】
請求項８記載の発明は、請求項７記載の表示器であって、前記凸部が複数あるとき、前記複数の凸部を少なくとも２つ以上に分割し、各々別体の光透過板上に設けることを特徴とする表示器に存する。
【００２３】
請求項８記載の発明によれば、凸部が複数あるとき、複数の凸部は、少なくとも２以上に分割され、各々別体の光透過板上に設けられている。ところで、複数の凸部を単一の光透過板上に設ける場合は、全凸部の互いの位置が、金属文字板の切抜部と正確に対応していなければ、凸部を切抜部にはめ込むことができない。しかし、以上のように、複数の凸部を分割して設けることにより、分割された光透過板に設けられている凸部同士のみが、金属文字板の切抜部と正確に対応していればよい。
【００２６】
請求項９記載の発明は、請求項１〜８何れか１項項記載の表示器であって、前記指標が、当該指標を形成する直線または曲線で囲まれた穴を有するとき、前記光透過板の前記穴を形成する部分は、前記光透過板の前記指標を形成する部分よりくぼんでいることを特徴とする表示器に存する。
【００２７】
請求項９記載の発明によれば、指標が、その指標を形成する直線または曲線で囲まれた穴を有するとき、光透過板の穴を形成する部分が、光透過板の指標を形成する部分よりくぼんでいる。従って、指標の外周だけでなく、穴部分も視認することができる。
【００３０】
請求項１０記載の発明は、請求項１〜９何れか１項記載の表示器であって、前記光透過板は、前記金属文字板をインサートした状態で形成されることを特徴とする表示器に存する。
【００３１】
請求項１０記載の発明によれば、光透過板は、金属文字板をインサートした状態で形成されている。従って、簡単に、光透過板の凸部と金属文字板の切抜部とが隙間なく嵌合させることができる。
【００３２】
【発明の実施の形態】
以下、本発明の一実施の形態を、図面を参照して説明する。
図１及び図２は、本発明の表示器を組み込んだ車両用指示装置の一実施の形態を示す分解斜視図である。図１に示すように、車両用指示装置は、計測値を指示するための指針１０と、この指針１０を回転駆動するムーブメント２０ａが電気接続されている基板２０と、計測値に応じた指標の外周に沿って切り抜かれた切抜部３０ａを有する金属文字板３０とを備えている。
【００３３】
車両用指示装置はまた、金属文字板３０の背面に配置され、上記切抜部３０ａと嵌合する凸部４０ａが設けられた光透過板４０と、光透過板４０の背面に配置された光拡散板５０とを備えている。上記光透過板４０及び光拡散板５０は、アクリル樹脂板やポリカーボネート樹脂板などから形成されている。
【００３４】
車両用指示装置はさらに、図２に示すように、金属文字板３０を除いて指示装置内部が見えないようにする見返し６０と、見返し６０の開口部に設けられ、この開口部から埃などが入らないようにする表ガラス７０と、見返し６０の上側面に設けられた孔６０ａに一部がはめ込まれる導光プリズム８０とを備えている。
【００３５】
ところで、図３に示すように、指標の中には、例えば「０」や「４」のように、その指標を形成する直線または曲線で囲まれた穴４０ｂを有するものがある。このような指標に応じた凸部４０ａは、図４（ａ）に示すように、その穴４０ｂを形成する部分が、指標自体を形成する凸部４０ａよりくぼんでいる。
【００３６】
上述した構成の車両用指示装置によれば、光拡散板５０の背面に設けられた図示しない光源が発光すると、その光は、光拡散板５０で拡散された後、光透過板４０に入射される。光透過板４０に入射された光は、金属文字板３０の切抜部３０ａを透過して運転者視点に届く。このため、運転者視点から、金属文字板３０の切抜部３０ａが発光して見える。
【００３７】
また、図示しない光源からの光はさらに、導光プリズム８０に入射され、導光プリズム８０に入射された光は、見返し６０の孔６０ａから金属文字板３０の前面を照らす。このため、夜間であっても金属文字板３０を視認することができる。
【００３８】
上述したように、光透過板４０に、金属文字板３０の切抜部３０ａと嵌合する凸部４０ａを持たせることにより、金属文字板３０に厚みがあっても、切抜部３０ａが凹んでみえることがなくなり、意匠性を向上することができる。また、上述したように穴４０ｂをくぼませることにより、指標の外周だけでなく穴部分も視認することができるようになる。
【００３９】
しかし、上述したように、穴４０ｂをくぼませるだけでは、穴４０ｂからの光も運転者視点に届いてしまうため、穴４０ｂをはっきり視認させるのが難しいことがある。そこで、図４（ｂ）に示すように、表面に金属文字板３０と同一色の印刷が施された穴埋めパーツ４０ｃを穴４０ｂに嵌合させるようにすることが考えられる。また、他には、光透過板４０の穴４０ｂを形成する部分に金属文字板３０と同一色の印刷を施すことも考えられる。
【００４０】
上述したように、穴埋めパーツ４０ｃを用いて、または、直接、光透過板４０上に金属文字板３０と同一色の印刷を施すことにより、穴４０ｂを透過する光が遮光されるため、一層はっきりと穴４０ｂ部分を視認することができる。
【００４１】
ところで、上述した構成の指示装置は、切抜部３０ａに凸部４０ａを嵌合する必要がある。このため、図１に示すように単一の光透過板４０上に全ての凸部４０ａを設けると、全凸部４０ａの互いの位置が、切抜部３０ａと正確に対応していなければ、凸部４０ａを切抜部３０ａに嵌合することができなくなる。
【００４２】
そこで、このような問題を解決するため、図５に示すように、複数ある凸部４０ａを少なくとも２つ以上に分割し、それぞれ別体の光透過パーツ４１上に設ける。このように凸部４０ａを分割して設ければ、それぞれの光透過パーツ４１に設けられている凸部４０ａ同士のみが、切抜部３０ａと正確に対応していればよく、簡単に切抜部３０ａと凸部４０ａとを隙間なく嵌合させることができる。なお、図中４２は、光透過パーツ４１自体の固定を行うものである。
【００４３】
上述した光透過板４０の分割以外に、例えば、金属文字板３０をインサートした状態で、光透過板４０を形成するようにしても、簡単に、凸部４０ａと切抜部３０ａとを隙間なく嵌合させることができる。
【００４４】
なお、上述した実施形態では、導光プリズム８０により金属文字板３０全体を照らしていた。しかしながら、例えば、図６及び図７に示すように、金属文字板３０表面に、互いにクロスした複数（図６では２つ）の直線状の高輝度部分Ｈが視認できるように、前面光源としての発光素子９０を設けることが考えられる。このように金属文字板３０に意図的に高輝度部分Ｈを視認させることにより、金属文字板３０が、一層、金属らしく見える。
【００４５】
また、高輝度部分Ｈが視認できる指示装置において、金属文字板３０前面に、スピン状や放射状に凸部が形成される目付けを施すことが考えられる。このスピン状や放射状の目付が施された金属文字板３０の前面に、外光が前面に照射されると、上記発光素子９０で人工的に作ったような、互いにクロスした直線状の高輝度部分Ｈが視認されることが多い。このため、昼間と夜とで金属文字板３０の見え方が異なるということがなくなる。
【００４６】
【発明の効果】
以上説明したように、請求項１記載の発明によれば、背面光源を発光させると、その光は、金属文字板に設けられた切抜部を透過して運転者視点に届く。このため、運転者に指標が発光しているように、視認させることができるので、金属文字板を用いても、指標を発光させることができる。また、光透過板により発光素子からの光が拡散されるため、切抜部全体を均一に発光させることができる。さらに、指標の外周だけでなく、穴部分も一層はっきりと視認することができるので、意匠性の向上を図った表示器を得ることができる。
【００４７】
請求項２記載の発明によれば、夜間であっても金属文字板表面を、視認することができるので、意匠性の向上を図った表示器を得ることができる。
【００４８】
請求項３記載の発明によれば、金属文字板上に直線状の高輝度部分を視認させることにより、金属文字板が、一層、金属らしく見えるので、意匠性の向上を図った表示器を得ることができる。
【００４９】
請求項４記載の発明によれば、金属文字板上に互いにクロスした複数の直線状高輝度部分を視認させることにより、金属文字板が、さらに一層、金属らしく見えるので、意匠性の向上を図った表示器を得ることができる。
【００５０】
請求項５及び６記載の発明によれば、金属文字板にスピン状または放射状に目付けすると、昼間なども外光によって直線状の高輝度部分が視認することができるので、昼間と夜とで金属文字板の見え方が異なるということがなくなる表示器を得ることができる。
【００５２】
請求項７記載の発明によれば、金属文字板に厚みがあっても、切抜部が凹んで見えることがないので、意匠性の向上を図った表示器を得ることができる。
【００５３】
請求項８記載の発明によれば、複数の凸部を分割して設けることにより、分割された光透過板に設けられている凸部同士のみが、金属文字板の切抜部と正確に対応していればよいので、簡単に、切抜部と凸部とを隙間なく嵌合させ、意匠性の向上を図った表示器を得ることができる。
【００５４】
請求項９記載の発明によれば、指標の外周だけでなく、穴部分も一層はっきりと視認することができるので、意匠性の向上を図った表示器を得ることができる。
【００５６】
請求項１０記載の発明によれば、簡単に、光透過板の凸部と金属文字板の切抜部とが隙間なく嵌合させることができるので、意匠性の向上を図った表示器を得ることができる。
【図面の簡単な説明】
【図１】本発明の表示器を組み込んだ車両用指示装置の一実施の形態を示す分解斜視図である。
【図２】本発明の表示器を組み込んだ車両用指示装置の一実施の形態を示す分解斜視図である。
【図３】穴４０ｂを説明するための図である。
【図４】（ａ）は、光透過板４０の部分拡大図であり、（ｂ）は穴埋めパーツ４０ｃの拡大図である。
【図５】分割された光透過板４０の部分拡大図である。
【図６】発光素子９０を設けた場合の指示装置の部分正面図である。
【図７】発光素子９０を設けた場合の指示装置の斜視図である。
【図８】従来の表示器の構成を示す図である。
【図９】従来の表示器の問題点を説明するための図である。
【符号の説明】
３０    金属文字板
３０ａ  切抜部
４０    光透過板
４０ａ  凸部
４０ｂ  穴
４０ｃ  穴埋めパーツ
５０    光拡散板
９０    発光素子（前面光源）
Ｈ      高輝度部分
【図１】
0003782731.tif 000002
【図２】
0003782731.tif 000003
【図３】
0003782731.tif 000004
【図４】
0003782731.tif 000005
【図５】
0003782731.tif 000006
【図６】
0003782731.tif 000007
【図７】
0003782731.tif 000008
【図８】
0003782731.tif 000009
【図９】
0003782731.tif 000010